(57)【要約】      （修正有）【課題】ねじ込み式バックボルトを提供する。【解決手段】本考案に係るねじ込み式バックボルト１は、本体及び前記本体を貫通するセンター穴２０を備える。本体は、ロック部１１と、複数の挟持部１３と、複数の固定部１５と、複数のスロット１７とを含み、各挟持部はヘッド１３１及び末端を有し、各挟持部のヘッドはロック部に連接され、且つ各挟持部はヘッドから端にかけてセンター穴の中心部に徐々に接近する。各固定部は各挟持部の末端にそれぞれ連接され、且つ各固定部は内側面１５１及び前記内側面の反対側に位置される外側面１５３を有し、内側面はセンター穴内に位置され、外側面には複数の溝部１５３３が設けられる。複数のスロットは何れか２つの挟持部と何れか２つの固定部との間にそれぞれ位置される。【選択図】図３
0003225873.tif 000002
【実用新案登録請求の範囲】
【請求項１】
本体及び前記本体を貫通するセンター穴を備え、
前記本体は、
ロック部と、
ヘッド及び末端を各々有する複数の挟持部であって、各前記挟持部の前記ヘッドは前記ロック部に連接され、且つ各前記挟持部は前記ヘッドから末端にかけて前記センター穴の中心部に徐々に接近することと、
各前記挟持部の前記末端にそれぞれ連接され、且つ内側面及び前記内側面の反対側に位置される外側面を有し、前記内側面は前記センター穴内に位置され、前記外側面には複数の溝部が設けられる複数の固定部と、
何れか２つの挟持部と何れか２つの固定部との間に位置される複数のスロットと、を含むことを特徴とするねじ込み式バックボルト。
【請求項２】
前記複数の挟持部、前記複数の固定部、及び前記複数のスロットの数量は３つ以上であることを特徴とする請求項１に記載のねじ込み式バックボルト。
【請求項３】
各前記スロットの形状及び大きさは全て同じであることを特徴とする請求項１に記載のねじ込み式バックボルト。
【請求項４】
各前記固定部の前記複数の溝部は等間隔で配列されることを特徴とする請求項１に記載のねじ込み式バックボルト。
【請求項５】
前記外側面は曲面部を有し、前記複数の溝部は前記曲面部に等間隔で弧線状に配列するように設けられることを特徴とする請求項４に記載のねじ込み式バックボルト。
【考案の詳細な説明】
【技術分野】
【０００１】
本考案は、ねじ込み式バックボルトに関し、更に詳しくは、石材や複合板等の対象物に固装されて使用されるねじ込み式バックボルトに関する。
【背景技術】
【０００２】
従来の石材等の対象物の固定に用いられる固定装置は、ねじ棒８０及びスリーブ９０を備える。ねじ棒８０はスリーブ９０中に貫設され、前記スリーブ９０は形状が同じであると共に対応しあう２つの治具ブロック９１で構成される。これら前記治具ブロック９１には外に向けて延伸されるストッパー９２が設けられ、且つ２つの治具ブロック９１には対応しあう表面にスレッド９１１が設けられ、前記スレッド９１１はねじ棒８０上のスレッドに相互に螺合される（図１参照）。
【０００３】
図２に示されるように、使用に際しては、まず治具ブロック９１が対象物６０に予め設けられる穴７０中にそれぞれ装設され、ねじ棒８０が治具ブロック９１中に貫設され、治具ブロック９１のスレッド９１１がねじ棒８０上のスレッドに相互に螺合される。ねじ棒３０により治具ブロック９１が押されると外に向けて徐々に拡張され、ストッパー９２が穴７０の壁面に係合され、治具ブロック９１が穴７０中に固定される。
【考案の概要】
【考案が解決しようとする課題】
【０００４】
しかしながら、前述した従来の技術では、スリーブ９０が別々に分解される２つの板片体で構成されるため、対象物６０の体積が過大である場合、発生スリーブ９０が外に向けて拡張されるが末端が前記対象物６０の重量を支えきれず前記対象物が脱離しやすくなり、対象物６０が固定箇所から脱落してしまい、理想的とは言えなかった。
【０００５】
そこで、本考案者は上記の欠点が改善可能と考え、鋭意検討を重ねた結果、合理的設計で上記の課題を効果的に改善する本考案の提案に至った。
【０００６】
本考案は、かかる事情に鑑みてなされたものであり、その目的とするところは、石材や複合板等の対象物に堅固に装設されて使用されるねじ込み式バックボルトを提供することにある。
【課題を解決するための手段】
【０００７】
上記課題を解決するために、本考案のある態様のねじ込み式バックボルトは、本体及び前記本体を貫通するセンター穴を備える。ねじ込み式バックボルトの本体はロック部と、複数の挟持部と、複数の固定部と、複数のスロットと、を含む。各挟持部はヘッド及び末端を有し、各挟持部のヘッドはロック部に連接され、且つ各挟持部はヘッドから端にかけてセンター穴の中心部に徐々に接近する。各固定部は各挟持部の末端にそれぞれ連接され、且つ各固定部は内側面及び前記内側面の反対側に位置される外側面を有し、内側面はセンター穴内に位置され、外側面には複数の溝部が設けられる。複数のスロットは何れか２つの挟持部と何れか２つの固定部との間にそれぞれ位置される。
【０００８】
また、本考案に係るねじ込み式バックボルトにおいて、前記挟持部及び固定部の数量は３つ以上である。
【０００９】
また、本考案に係るねじ込み式バックボルトにおいて、前記複数のスロットの形状及び大きさは全て同じである。
【００１０】
また、本考案に係るねじ込み式バックボルトにおいて、前記固定部の複数の溝部は等間隔で配列される。
【００１１】
また、本考案に係るねじ込み式バックボルトにおいて、前記外側面は曲面部を有し、前記複数の溝部は前記曲面部に等間隔で弧線状に配列するように設けられる。
【図面の簡単な説明】
【００１２】
【図１】従来の固定装置を示す展開図である。
【図２】従来の固定装置を使用する時の概略図図である。
【図３】本考案に係るねじ込み式バックボルトの第１実施例を示す上面図である。
【図４】本考案に係るねじ込み式バックボルトの第１実施例を示す底面図である。
【図５】本考案に係るねじ込み式バックボルトの第２実施例を示す上面図である。
【図６】本考案に係るねじ込み式バックボルトの第２実施例を示す底面図である。
【図７】本考案に係るねじ込み式バックボルトの第３実施例を示す上面図である。
【図８】本考案に係るねじ込み式バックボルトの第３実施例を示す底面図である。
【図９】本考案のねじ込み式バックボルトの本体の挟持部と固定部がねじ棒によって開かれていないときの概略図である。
【図１０】本考案のねじ込み式バックボルトの本体の挟持部と固定部がねじ棒によって開かれたときの概略図である。
【考案を実施するための形態】
【００１３】
以下に、本考案に係るねじ込み式バックボルトの実施の形態を図面に基づいて詳細に説明する。なお、各実施の形態によりこの考案が限定されるものではない。
【００１４】
本明細書及び図面の記載により、少なくとも、以下の事項が明らかとなる。
【第１実施例】
【００１５】
図３は本考案に係るねじ込み式バックボルトの第１実施例を示す上面図である。図４は本考案に係るねじ込み式バックボルトの第１実施例を示す底面図である。図３に示されるように、本実施例では、本考案のねじ込み式バックボルト１は本体１０及び前記本体１０を貫通するセンター穴２０を備え、本体１０は中空管体である。センター穴２０は円形状を呈し、センター穴２０内の孔壁には雌ねじ２１が設けられる。本体１０はロック部１１と、２つの挟持部１３と、２つの固定部１５と、２つのスロット１７と、を含む。
【００１６】
本実施例では、ロック部１１はほぼ円柱状を呈し、ロック部１１の対応しあう両側には互いに平行する側面１１２を有する。
【００１７】
また、本実施例では、２つの挟持部１３はヘッド１３１及び末端１３３を各々有し、各挟持部１３のヘッド１３１はロック部１１に連接され、各挟持部１３はヘッド１３１から末端１３３にかけてセンター穴２０の中心部に徐々に接近する。即ち、挟持部１３はヘッド１３１から末端１３３にかけてセンター穴２０の中心部の内側に向けて漸縮する。
【００１８】
本実施例では、２つの固定部１５は各挟持部１３の末端１３３にそれぞれ連接され、且つ各固定部１５は内側面１５１及び前記内側面１５１の反対側に位置される外側面１５３を有する。内側面１５１はセンター穴２０内に位置されてセンター穴２０内の孔壁の一部分となり、内側面１５１には雌ねじ２１が設けられる。固定部１５の外側面１５３は挟持部１３の末端１３３から外に向けてセンター穴２０の中心部から離れてゆく。即ち、末端１３３から離れる方向に向けてセンター穴２０の中心部から外に向けて徐々に拡張してゆき、且つ外側面１５３には複数の溝部１５３３が設けられる。本実施例では、各固定部１５の外側面１５３には曲面部１５３１を有し、複数の溝部１５３３の数量は４つであり、曲面部１５３１に等間隔で呈弧線状に配列されるように設けられるが、本考案はこれに限られない（図４参照）。
【００１９】
なお、図３に示されるように、本実施例では、２つのスロット１７は何れか２つの挟持部１３と何れか２つの固定部１５との間にそれぞれ位置される。本実施例では、各スロット１７の形状及び大きさは全て同じであり、且つ各スロット１７は挟持部１３のヘッド１３１から末端１３３にかけてほぼ三角形状を呈するが、本考案はこれに限られない。
【第２実施例】
【００２０】
図５は本考案に係るねじ込み式バックボルトの第２実施例を示す上面図である。図６は本考案に係るねじ込み式バックボルトの第２実施例を示す底面図である。
【００２１】
図５に示されるように、本実施例では、前記第１実施例との違いは、挟持部１３、固定部１５、及びスロット１７の数量が３つである点である。図６に示されるように、本実施例では、各固定部１５の外側面１５３の曲面部１５３１には同様に等間隔で弧線状に配列される４つ溝部１５３３がそれぞれ設けられる。前記第１実施例と比べると、本実施例の固定部１５の数量は３つであり、各固定部１５の外側面１５３の曲面部１５３１には同様に４つ溝部１５３３が設けられるため、溝部１５３３の総数が多く、且つ配列間隔が密になり、高い固定効果が得られるが、本考案の溝部１５３３の設置形態はこれに限られない。
【第３実施例】
【００２２】
図７は本考案に係るねじ込み式バックボルトの第３実施例を示す上面図である。図８は本考案に係るねじ込み式バックボルトの第３実施例を示す底面図である。
【００２３】
図７に示されるように、本実施例では、前述の各実施例との違いは、挟持部１３、固定部１５、及びスロット１７の数量が４つである点である。同様に、図８に示されるように、本実施例では、各固定部１５の外側面１５３の曲面部１５３１にも等間隔で弧線状に配列される４つの溝部１５３３がそれぞれ設けられるが、本考案はこれに限られない。
【００２４】
図９と図１０は本考案に係るねじ込み式バックボルト使用時の概略図である。図９に示されるように、本考案のねじ込み式バックボルト１は使用時に、まずねじ込み式バックボルト１が対象物６０の穴の中に装設される。次に、ねじ棒８０がねじ込み式バックボルト１のセンター穴２０中に螺入される。ねじ棒８０の螺入過程では、ヘッド１３１から末端１３３にかけてセンター穴２０の中心部に向けて内側に漸縮する複数の挟持部１３がねじ棒８０に突き押されることにより外に向けて徐々に開かれ、これによりスロット１７により分割される複数の固定部１５も追随して外に向けて開かれ、対象物６０の穴の孔壁に向けて拡張される（図１０参照）。固定部１５の外側面１５３に複数の溝部１５３３が設けられるため、固定部１５が外に向けて開かれる過程において、固定部１５は溝部１５３３が対象物６０の孔壁に係入することで前記対象物６０に咬み合わせられ、堅固な装設の目的を達成させる。
【００２５】
上述した実施形態は、本考案が属する技術分野における通常の知識を有する者が本考案を実施できることを目的として記載されたものである。上記実施形態の種々の変形例は、当業者であれば当然になしうることであり、本考案の技術的思想は他の実施形態にも適用しうる。したがって、本考案は、記載された実施形態に限定されることはなく、実用新案登録請求の範囲によって定義される技術的思想に従った最も広い範囲に解釈されるものである。
【符号の説明】
【００２６】
（従来の技術）
６０  対象物
７０  穴
８０  ねじ棒
９０  スリーブ
９１  治具ブロック
９２  ストッパー
９１１  スレッド
（本考案）
１  ねじ込み式バックボルト
１０  本体
１１  ロック部
１１２  側面
１３  挟持部
１３１  ヘッド
１３３  末端
１５  固定部
１５１  内側面
１５３  外側面
１５３１  曲面部
１５３３  溝部
１７  スロット
２０  センター穴
２１  雌ねじ
６０  対象物
８０  ねじ棒
【図１】
0003225873.tif 000003
【図２】
0003225873.tif 000004
【図３】
0003225873.tif 000005
【図４】
0003225873.tif 000006
【図５】
0003225873.tif 000007
【図６】
0003225873.tif 000008
【図７】
0003225873.tif 000009
【図８】
0003225873.tif 000010
【図９】
0003225873.tif 000011
【図１０】
0003225873.tif 000012